(57)【要約】【課題】電子機器において地図画面が表示された状態にて入力された手書入力データを、他の電子機器において表示可能とする。【解決手段】電子機器１００は、液晶パネル２４０と、他の電子機器の現在位置を示した位置情報を、他の電子機器から受信する受信部１１と、位置情報に基づき、地図データを記憶したサーバ装置から、現在位置を含んだ地図データを取得する取得部１７と、取得した地図データに基づく第１地図画像を液晶パネル２４０に表示させる表示制御部１２と、第１地図画像が表示された状態で、液晶表示パネル２４０を介して手書入力データを受け付ける第１受付部１３と、受け付けた手書入力データに基づき画像データを生成する画像生成部１４と、生成した画像データを他の電子機器に送信する送信部１５とを備える。【選択図】図２２
2010108289.tif 000002
【特許請求の範囲】
【請求項１】
電子機器であって、
第１表示パネルと、
他の電子機器の現在位置を示した位置情報を、前記他の電子機器から受信する受信手段と、
前記位置情報に基づき、地図データを記憶した記憶装置から、前記現在位置を含んだ地図データを取得する取得手段と、
前記取得された地図データに基づく第１地図画像を前記第１表示パネルに表示させる表示制御手段と、
前記第１地図画像が表示された状態で、前記第１表示パネルを介して手書入力データを受け付ける第１受付手段と、
前記受け付けた手書入力データに基づき画像データを生成する生成手段と、
前記生成された画像データを前記他の電子機器に送信する送信手段とを備える、電子機器。
【請求項２】
前記受信手段は、前記他の電子機器で表示されている前記現在位置を含んだ第２地図画像の縮尺を示した縮尺情報と、前記他の電子機器において前記第２地図画像を表示している表示領域のサイズを示したサイズ情報とを、前記他の電子機器からさらに受信し、
前記表示制御手段は、前記位置情報と前記縮尺情報と前記サイズ情報とに基づいて、前記第２地図画像として示された地図領域を含む地図画像を、前記第１地図画像として表示させる、請求項１に記載の電子機器。
【請求項３】
前記表示制御手段は、前記位置情報に基づいて、前記現在位置を前記第１地図画像に表示する、請求項１または２に記載の電子機器。
【請求項４】
前記生成手段は、
前記サイズ情報で示される表示領域のサイズに対する、前記第１表示パネルにおいて前記第１地図画像を表示するために用いた表示領域のサイズの比率を算出する比率算出手段を備え、
前記算出された比率に基づき前記手書入力データのデータ量を変更することにより、前記画像データを生成する、請求項１から３のいずれか１項に記載の電子機器。
【請求項５】
前記第１地図画像が表示された状態で、前記第１表示パネルを介して表示される地図画像の表示対象領域を変更する指示を前記表示制御手段が受け付けた場合、前記送信手段は、前記変更後の表示対象領域を特定する領域特定情報を前記他の電子機器に送信する、請求項１から４のいずれか１項に記載の電子機器。
【請求項６】
前記第１地図画像で示される地図領域と、前記第２地図画像で示される地図領域とは同じ領域である、請求項２から５のいずれか１項に記載の電子機器。
【請求項７】
前記第１表示パネルよりも表示領域が広い第２表示パネルをさらに備え、
前記表示制御手段は、前記位置情報と前記縮尺情報と前記サイズ情報とに基づいて、前記第２表示パネルに、前記第１地図画像として示された地図領域を含む第３地図画像をさらに表示させる、請求項２から６のいずれか１項に記載の電子機器。
【請求項８】
前記第３地図画像として示された地図領域における一部領域の指定を受け付ける第２受付手段をさらに備え、
前記第２受付手段が前記指定を受け付けた場合、前記表示制御手段は、前記指定された一部領域を前記第１表示パネルを介して表示させる、請求項７に記載の電子機器。
【請求項９】
前記第１表示パネルは、
入射光に応じて電気信号を生成する複数の光センサ回路と、
電気信号に応じて光を発する複数の画素回路とを含み、
前記受付手段は、前記複数の光センサ回路からの前記電気信号に基づいて、前記手書入力データを受け付け、
前記表示制御手段は、前記複数の画素回路に前記第１地図画像および前記手書入力データに基づく手書画像とを表示させる、請求項１から８のいずれか１項に記載の電子機器。
【請求項１０】
電子機器であって、
第１表示パネルと、
他の電子機器の現在位置を示した位置情報を、前記他の電子機器から受信する受信手段と、
前記位置情報に基づき、地図データを記憶した記憶装置から、前記現在位置を含んだ地図データを取得する取得手段と、
前記取得された地図データに基づく第１地図画像を前記第１表示パネルに表示させる表示制御手段と、
前記第１地図画像が表示された状態で、前記第１表示パネルを介して手書入力データを受け付ける第１受付手段と、
前記受け付けた手書入力データに基づきストロークデータを生成する生成手段と、
前記生成されたストロークデータを前記他の電子機器に送信する送信手段とを備える、電子機器。
【請求項１１】
前記受信手段は、前記他の電子機器で表示されている前記現在位置を含んだ第２地図画像の縮尺を示した縮尺情報と、前記他の電子機器において前記第２地図画像を表示している表示領域のサイズを示したサイズ情報とを、前記他の電子機器からさらに受信し、
前記表示制御手段は、前記位置情報と前記縮尺情報と前記サイズ情報とに基づいて、前記第２地図画像として示された地図領域を含む地図画像を、前記第１地図画像として表示させる、請求項１０に記載の電子機器。
【請求項１２】
前記第１表示パネルよりも表示領域が広い第２表示パネルをさらに備え、
前記表示制御手段は、前記位置情報と前記縮尺情報と前記サイズ情報とに基づいて、前記第２表示パネルに、前記第１地図画像として示された地図領域を含む第３地図画像をさらに表示させる、請求項１１に記載の電子機器。
【請求項１３】
電子機器であって、
表示パネルと、
外部機器から受信した信号に基づき、前記電子機器の現在位置を示した位置情報を取得する第１取得手段と、
前記位置情報に基づき、地図データを記憶した記憶装置から、前記現在位置を含んだ地図データを取得する第２取得手段と、
前記表示パネルを介して、前記取得した地図データに基づく地図画像を表示させる表示制御手段と、
前記位置情報を、他の電子機器に送信する送信手段と、
前記他の電子機器から送信された、手書入力データに基づく画像データを受信する受信手段とを備え、
前記表示制御手段は、前記地図画像の画像データと、前記受信した画像データとを合成して、当該合成した画像データに基づく画像を前記表示パネルに表示させる、電子機器。
【請求項１４】
前記送信手段は、前記表示されている地図画像の縮尺を示した縮尺情報と、前記地図画像を表示している表示領域のサイズを示したサイズ情報とを、さらに前記他の電子機器に送信する、請求項１３に記載の電子機器。
【請求項１５】
第１電子機器と第２電子機器とを含む通信システムであって、
第１電子機器は、
第１表示パネルと、
前記第２電子機器の現在位置を示した位置情報を、前記第２電子機器から受信する第１受信手段と、
前記位置情報に基づき、地図データを記憶した記憶装置から、前記現在位置を含んだ第１地図データを取得する第１取得手段と、
前記取得された第１地図データに基づく第１地図画像を前記第１表示パネルに表示させる第１表示制御手段と、
前記第１地図画像が表示された状態で、前記第１表示パネルを介して手書入力データを受け付ける第１受付手段と、
前記受け付けた手書入力データに基づき画像データを生成する生成手段と、
前記生成された画像データを前記第２電子機器に送信する第１送信手段とを備え、
前記第２電子機器は、
第２表示パネルと、
外部機器から受信した信号に基づき、前記位置情報を取得する第２取得手段と、
前記位置情報に基づき、前記記憶装置から、前記現在位置を含んだ第２地図データを取得する第３取得手段と、
前記取得された第２地図データに基づく第２地図画像を前記第２表示パネルに表示させる第２表示制御手段と、
前記位置情報を、前記第１電子機器に送信する第２送信手段と、
前記生成された画像データを前記第１電子機器から受信する第２受信手段とを備え、
前記第２表示制御手段は、前記第２地図データと、前記受信した画像データとを合成して、当該合成した画像データに基づく画像を前記第２表示パネルに表示させる、通信システム。
【請求項１６】
電子機器におけるデータ通信方法であって、
他の電子機器の現在位置を示した位置情報を、前記他の電子機器から受信するステップと、
前記位置情報に基づき、地図データを記憶した記憶装置から、前記現在位置を含んだ地図データを取得するステップと、
前記取得された地図データに基づく地図画像を表示パネルに表示させるステップと、
前記地図画像が表示された状態で、前記表示パネルを介して手書入力データを受け付けるステップと、
前記受け付けた手書入力データに基づき画像データを生成するステップと、
前記生成された画像データを前記他の電子機器に送信するステップとを含む、データ通信方法。
【請求項１７】
電子機器におけるデータ通信方法であって、
他の電子機器の現在位置を示した位置情報を、前記他の電子機器から受信するステップと、
前記位置情報に基づき、地図データを記憶した記憶装置から、前記現在位置を含んだ地図データを取得するステップと、
前記取得された地図データに基づく地図画像を表示パネルに表示させるステップと、
前記地図画像が表示された状態で、前記表示パネルを介して手書入力データを受け付けるステップと、
前記受け付けた手書入力データに基づきストロークデータを生成するステップと、
前記生成されたストロークデータを前記他の電子機器に送信するステップとを含む、データ通信方法。
【請求項１８】
電子機器における表示制御方法であって、
外部機器から受信した信号に基づき、前記電子機器の現在位置を示した位置情報を取得するステップと、
前記位置情報に基づき、地図データを記憶した記憶装置から、前記現在位置を含んだ地図データを取得するステップと、
前記取得された地図データに基づき地図画像を表示パネルに表示させるステップと、
前記位置情報を、他の電子機器に送信するステップと、
前記他の電子機器から送信された、手書入力データに基づく画像データを受信するステップと、
前記地図画像の画像データと、前記受信した画像データとを合成して、当該合成した画像データに基づく画像を前記表示パネルに表示させるステップとを含む、表示制御方法。
【請求項１９】
電子機器にデータ通信を実行させるためのプログラムであって、
他の電子機器の現在位置を示した位置情報を、前記他の電子機器から受信するステップと、
前記位置情報に基づき、地図データを記憶した記憶装置から、前記現在位置を含んだ地図データを取得するステップと、
前記取得された地図データに基づく地図画像を表示パネルに表示させるステップと、
前記地図画像が表示された状態で、前記表示パネルを介して手書入力データを受け付けるステップと、
前記受け付けた手書入力データに基づき画像データを生成するステップと、
前記生成された画像データを前記他の電子機器に送信するステップとを実行させるためのプログラム。
【請求項２０】
電子機器にデータ通信を実行させるためのプログラムであって、
他の電子機器の現在位置を示した位置情報を、前記他の電子機器から受信するステップと、
前記位置情報に基づき、地図データを記憶した記憶装置から、前記現在位置を含んだ地図データを取得するステップと、
前記取得された地図データに基づく地図画像を表示パネルに表示させるステップと、
前記地図画像が表示された状態で、前記表示パネルを介して手書入力データを受け付けるステップと、
前記受け付けた手書入力データに基づきストロークデータを生成するステップと、
前記生成されたストロークデータを前記他の電子機器に送信するステップとを実行させるためのプログラム。
【請求項２１】
電子機器に表示制御を実行させるためのプログラムであって、
外部機器から受信した信号に基づき、前記電子機器の現在位置を示した位置情報を取得するステップと、
前記位置情報に基づき、地図データを記憶した記憶装置から、前記現在位置を含んだ地図データを取得するステップと、
前記取得された地図データに基づき地図画像を表示パネルに表示させるステップと、
前記位置情報を、他の電子機器に送信するステップと、
前記他の電子機器から送信された、手書入力データに基づく画像データを受信するステップと、
前記地図画像の画像データと、前記受信した画像データとを合成して、当該合成した画像データに基づく画像を前記表示パネルに表示させるステップとを実行させるためのプログラム。
【発明の詳細な説明】
【技術分野】
【０００１】
本発明は、表示パネルを備えた電子機器、電子機器を含む通信システム、電子機器におけるデータ通信方法、電子機器における表示制御方法、当該方法を実行するためのプログラムに関する。
【背景技術】
【０００２】
従来、光センサを内蔵した液晶パネルが知られている。
特許文献１〜３には、２つの表示装置を備えた情報処理装置が開示されている。
【０００３】
特許文献４には、表示部と着脱可能なＰＣ（Personal Computer）カードとを備える情報処理装置が開示されている。表示部およびＰＣカードは、ＬＣＤ（Liquid Crystal Display）を備える。また、ＰＣカードのＬＣＤは、タッチパッドの背面に設けれている。
【０００４】
非特許文献１には、タッチパッドが液晶ディスプレイになった、ノート型のパーソナルコンピュータが開示されている。
【特許文献１】特開２００４−００５１０５号公報
【特許文献２】特開２００４−００５２１２号公報
【特許文献３】特開２００４−２３４５０４号公報
【特許文献４】特開２０００−３３９０９７号公報
【非特許文献１】東芝  ノートＰＣ  ｄｙｎａｂｏｏｋ（登録商標）  Ｇ８シリーズ  製品カタログ  インターネット＜URL：http://dynabook.com/pc/catalog/dynabook/030512g8/index_j.htm＞
【発明の開示】
【発明が解決しようとする課題】
【０００５】
しかしながら、いずれの特許文献および非特許文献の電子機器は、当該電子機器において地図画面が表示された状態にて入力された手書入力データを他の電子機器において表示可能することはできないといった問題点がある。
【０００６】
本願発明は上記問題点に鑑みなされたものであって、その目的は、電子機器において地図画面が表示された状態にて入力された手書入力データを、他方の電子機器において表示可能とする電子機器、通信システム、データ通信方法、表示制御方法、およびプログラムを提供することにある。
【課題を解決するための手段】
【０００７】
本発明にある局面に従うと、電子機器は、第１表示パネルと、他の電子機器の現在位置を示した位置情報を、他の電子機器から受信する受信手段と、位置情報に基づき、地図データを記憶した記憶装置から、現在位置を含んだ地図データを取得する取得手段と、取得された地図データに基づく第１地図画像を第１表示パネルに表示させる表示制御手段と、第１地図画像が表示された状態で、第１表示パネルを介して手書入力データを受け付ける第１受付手段と、受け付けた手書入力データに基づき画像データを生成する生成手段と、生成された画像データを他の電子機器に送信する送信手段とを備える。
【０００８】
また、受信手段は、他の電子機器で表示されている現在位置を含んだ第２地図画像の縮尺を示した縮尺情報と、他の電子機器において第２地図画像を表示している表示領域のサイズを示したサイズ情報とを、他の電子機器からさらに受信し、表示制御手段は、位置情報と縮尺情報とサイズ情報とに基づいて、第２地図画像として示された地図領域を含む地図画像を、第１地図画像として表示させることが好ましい。
【０００９】
また、表示制御手段は、位置情報に基づいて、現在位置を第１地図画像に表示することが好ましい。
【００１０】
また、生成手段は、サイズ情報で示される表示領域のサイズに対する、第１表示パネルにおいて第１地図画像を表示するために用いた表示領域のサイズの比率を算出する比率算出手段を備え、算出された比率に基づき手書入力データのデータ量を変更することにより、画像データを生成することが好ましい。
【００１１】
また、第１地図画像が表示された状態で、第１表示パネルを介して表示される地図画像の表示対象領域を変更する指示を表示制御手段が受け付けた場合、送信手段は、変更後の表示対象領域を特定する領域特定情報を他の電子機器に送信することが好ましい。
【００１２】
また、第１地図画像で示される地図領域と、第２地図画像で示される地図領域とは同じ領域であることが好ましい。
【００１３】
また、第１表示パネルよりも表示領域が広い第２表示パネルをさらに備え、表示制御手段は、位置情報と縮尺情報とサイズ情報とに基づいて、第２表示パネルに、第１地図画像として示された地図領域を含む第３地図画像をさらに表示させることが好ましい。
【００１４】
また、第３地図画像として示された地図領域における一部領域の指定を受け付ける第２受付手段をさらに備え、第２受付手段が指定を受け付けた場合、表示制御手段は、指定された一部領域を第１表示パネルを介して表示させることが好ましい。
【００１５】
また、第１表示パネルは、入射光に応じて電気信号を生成する複数の光センサ回路と、電気信号に応じて光を発する複数の画素回路とを含み、受付手段は、複数の光センサ回路からの電気信号に基づいて、手書入力データを受け付け、表示制御手段は、複数の画素回路に第１地図画像および手書入力データに基づく手書画像とを表示させることが好ましい。
【００１６】
本発明の他の局面に従うと、電子機器は、第１表示パネルと、他の電子機器の現在位置を示した位置情報を、他の電子機器から受信する受信手段と、位置情報に基づき、地図データを記憶した記憶装置から、現在位置を含んだ地図データを取得する取得手段と、取得された地図データに基づく第１地図画像を第１表示パネルに表示させる表示制御手段と、第１地図画像が表示された状態で、第１表示パネルを介して手書入力データを受け付ける第１受付手段と、受け付けた手書入力データに基づきストロークデータを生成する生成手段と、生成されたストロークデータを他の電子機器に送信する送信手段とを備える。
【００１７】
また、受信手段は、他の電子機器で表示されている現在位置を含んだ第２地図画像の縮尺を示した縮尺情報と、他の電子機器において第２地図画像を表示している表示領域のサイズを示したサイズ情報とを、他の電子機器からさらに受信し、表示制御手段は、位置情報と縮尺情報とサイズ情報とに基づいて、第２地図画像として示された地図領域を含む地図画像を、第１地図画像として表示させることが好ましい。
【００１８】
また、電子機器は、第１表示パネルよりも表示領域が広い第２表示パネルをさらに備え、表示制御手段は、位置情報と縮尺情報とサイズ情報とに基づいて、第２表示パネルに、第１地図画像として示された地図領域を含む第３地図画像をさらに表示させることが好ましい。
【００１９】
本発明のさらに他の局面に従うと、電子機器は、表示パネルと、外部機器から受信した信号に基づき、電子機器の現在位置を示した位置情報を取得する第１取得手段と、位置情報に基づき、地図データを記憶した記憶装置から、現在位置を含んだ地図データを取得する第２取得手段と、取得された地図データに基づく地図画像を表示パネルに表示させる表示制御手段と、位置情報を、他の電子機器に送信する送信手段と、他の電子機器から送信された、手書入力データに基づく画像データを受信する受信手段とを備え、表示制御手段は、地図画像の画像データと、受信した画像データとを合成して、当該合成した画像データに基づく画像を表示パネルを介して表示させる。
【００２０】
また、送信手段は、表示されている地図画像の縮尺を示した縮尺情報と、地図画像を表示している表示領域のサイズを示したサイズ情報とを、さらに他の電子機器に送信することが好ましい。
【００２１】
本発明のさらに他の局面に従うと、通信システムは、第１電子機器と第２電子機器とを含み、第１電子機器は、第１表示パネルと、第２電子機器の現在位置を示した位置情報を、第２電子機器から受信する第１受信手段と、位置情報に基づき、地図データを記憶した記憶装置から、現在位置を含んだ第１地図データを取得する第１取得手段と、取得された第１地図データに基づく第１地図画像を第１表示パネルに表示させる第１表示制御手段と、第１地図画像が表示された状態で、第１表示パネルを介して手書入力データを受け付ける第１受付手段と、受け付けた手書入力データに基づき画像データを生成する生成手段と、生成された画像データを第２電子機器に送信する第１送信手段とを備え、第２電子機器は、第２表示パネルと、外部機器から受信した信号に基づき、位置情報を取得する第２取得手段と、位置情報に基づき、記憶装置から、現在位置を含んだ第２地図データを取得する第３取得手段と、取得された第２地図データに基づく第２地図画像を第２表示パネルに表示させる第２表示制御手段と、位置情報を、第１電子機器に送信する第２送信手段と、生成された画像データを第１電子機器から受信する第２受信手段とを備え、第２表示制御手段は、第２地図データと、受信した画像データとを合成して、当該合成した画像データに基づく画像を第２表示パネルに表示させる。
【００２２】
本発明のさらに他の局面に従うと、データ通信方法は、電子機器におけるデータ通信方法であって、他の電子機器の現在位置を示した位置情報を、他の電子機器から受信するステップと、位置情報に基づき、地図データを記憶した記憶装置から、現在位置を含んだ地図データを取得するステップと、取得された地図データに基づく地図画像を表示パネルに表示させるステップと、地図画像が表示された状態で、表示パネルを介して手書入力データを受け付けるステップと、受け付けた手書入力データに基づき画像データを生成するステップと、生成された画像データを他の電子機器に送信するステップとを含む。
【００２３】
本発明のさらに他の局面に従うと、データ通信方法は、電子機器におけるデータ通信方法であって、他の電子機器の現在位置を示した位置情報を、他の電子機器から受信するステップと、位置情報に基づき、地図データを記憶した記憶装置から、現在位置を含んだ地図データを取得するステップと、取得された地図データに基づく地図画像を表示パネルに表示させるステップと、地図画像が表示された状態で、表示パネルを介して手書入力データを受け付けるステップと、受け付けた手書入力データに基づきストロークデータを生成するステップと、生成されたストロークデータを他の電子機器に送信するステップとを含む。
【００２４】
本発明のさらに他の局面に従うと、表示制御方法は、電子機器における表示制御方法であって、外部機器から受信した信号に基づき、電子機器の現在位置を示した位置情報を取得するステップと、位置情報に基づき、地図データを記憶した記憶装置から、現在位置を含んだ地図データを取得するステップと、取得された地図データに基づき地図画像を表示パネルに表示させるステップと、位置情報を、他の電子機器に送信するステップと、他の電子機器から送信された、手書入力データに基づく画像データを受信するステップと、地図画像の画像データと、受信した画像データとを合成して、当該合成した画像データに基づく画像を表示パネルに表示させるステップとを含む。
【００２５】
本発明のさらに他の局面に従うと、プログラムは、電子機器にデータ通信を実行させるためのプログラムであって、他の電子機器の現在位置を示した位置情報を、他の電子機器から受信するステップと、位置情報に基づき、地図データを記憶した記憶装置から、現在位置を含んだ地図データを取得するステップと、取得された地図データに基づく地図画像を表示パネルに表示させるステップと、地図画像が表示された状態で、表示パネルを介して手書入力データを受け付けるステップと、受け付けた手書入力データに基づき画像データを生成するステップと、生成された画像データを他の電子機器に送信するステップとを実行させる。
【００２６】
本発明のさらに他の局面に従うと、プログラムは、電子機器にデータ通信を実行させるためのプログラムであって、他の電子機器の現在位置を示した位置情報を、他の電子機器から受信するステップと、位置情報に基づき、地図データを記憶した記憶装置から、現在位置を含んだ地図データを取得するステップと、取得された地図データに基づく地図画像を表示パネルに表示させるステップと、地図画像が表示された状態で、表示パネルを介して手書入力データを受け付けるステップと、受け付けた手書入力データに基づきストロークデータを生成するステップと、生成されたストロークデータを他の電子機器に送信するステップとを実行させる。
【００２７】
本発明のさらに他の局面に従うと、プログラムは、電子機器に表示制御を実行させるためのプログラムであって、外部機器から受信した信号に基づき、電子機器の現在位置を示した位置情報を取得するステップと、位置情報に基づき、地図データを記憶した記憶装置から、現在位置を含んだ地図データを取得するステップと、取得された地図データに基づき地図画像を表示パネルに表示させるステップと、位置情報を、他の電子機器に送信するステップと、他の電子機器から送信された、手書入力データに基づく画像データを受信するステップと、地図画像の画像データと、受信した画像データとを合成して、当該合成した画像データに基づく画像を表示パネルに表示させるステップとを実行させる。
【発明の効果】
【００２８】
電子機器において地図画面が表示された状態にて入力された手書入力データを、他の電子機器において表示可能となる。
【発明を実施するための最良の形態】
【００２９】
本発明に係る電子機器の一実施態様について、図１から図３２を参照して説明すると以下のとおりである。
【００３０】
＜電子機器の外観＞
図１は、本実施の形態に係る電子機器１００の外観を示した図である。図１を参照して、電子機器１００は、第１の筐体１００Ａと第２の筐体１００Ｂとを含む。
【００３１】
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００３２】
なお、電子機器１００は、ＰＤＡ（Personal Digital Assistant）、ノート型のパーソナルコンピュータ、携帯型電話機、電子辞書などの表示機能を有する携帯型デバイスとして構成される。
【００３３】
＜ハードウェア構成について＞
次に、図２を参照して、電子機器１００の具体的構成の一態様について説明する。図２は、電子機器１００のハードウェア構成を表わすブロック図である。
【００３４】
電子機器１００は、第１ユニット１００１と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００３５】
第１の筐体１００Ａは、表示装置１０２を含む。第２の筐体１００Ｂは、本体装置１０１を含む。また、第２の筐体１００Ｂは、第２ユニット１００２を含む。
【００３６】
（第１ユニットについて）
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢ（Universal Serial Bus）コネクタ１９４と、アンテナ１９５と、ＬＡＮ（Local Area Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【００３７】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。
【００３８】
外部通信部１７４は、他の電子機器と通信を行なう。具体的には、外部通信部１７４は、ＵＳＢコネクタ１９４を介して、たとえば第２ユニット１００２と通信を行なう。また、外部通信部１７４は、アンテナ１９５を介して、たとえば第２ユニット１００２と無線通信を行なう。さらに、外部通信部１７４は、ＬＡＮコネクタ１９６を介して、他の電子機器との間で有線通信を行なう。
【００３９】
なお、本体装置１０１は、Ｂｌｕｅｔｏｏｔｈ（登録商標）以外の無線通信により、他の電子機器と通信を行なってもよい。たとえば、外部通信部１７４は、図示しない無線ＬＡＮアンテナを介して、ＬＡＮに接続された他の電子機器との間で無線通信を行なってもよい。あるいは、図示しない赤外線ポートを介して、他の電子機器との間で無線通信を行なってもよい。
【００４０】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【００４１】
電源検出部１９３は、電源回路１９２からの出力を検出する。また、電源検出部１９３は、当該検出した出力に関する情報（たとえば、電圧値や電流値）を、ＣＰＵ１１０に送る。
【００４２】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【００４３】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【００４４】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【００４５】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００４６】
ドライバ１３０は、液晶パネル１４０およびバックライト１７９を駆動するための駆動回路である。ドライバ１３０に含まれる各種の駆動回路については、後述する。
【００４７】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００４８】
内部ＩＦ（Interface）１７８は、本体装置１０１と表示装置１０２との間で、データの遣り取りを仲介する。
【００４９】
バックライト１７９は、液晶パネル１４０の裏面に配置された光源である。バックライト１７９は、当該裏面に対して均一な光を照射する。
【００５０】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００５１】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００５２】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００５３】
上記コマンドは、上記光センサによりセンシングを指示するセンシングコマンドを含む。当該センシングコマンドの詳細および上記応答データの詳細については、後述する（図７，図８，および図１４）。
【００５４】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００５５】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００５６】
（第２ユニットについて）
第２ユニット１００２は、第１ユニット１００１から電力の供給を受ける。具体的には、後述するＵＳＢコネクタ２９４と第１ユニット１００１のＵＳＢコネクタ１９４とを接続することにより、第２ユニット１００２は、第１ユニット１００１の電源回路１９２から電力の供給を受ける。
【００５７】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【００５８】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭ（Erasable Programmable Read-Only Memory）やフラッシュメモリなどのデータの書込みおよび消去が可能なＲＯＭである。
【００５９】
外部通信部２７４は、他の電子機器との間で通信を行なう。具体的には、外部通信部２７４は、ＵＳＢコネクタ２９４を介して、たとえば第１ユニット１００１と通信を行なう。また、外部通信部２７４は、アンテナ２９５を介して、たとえば第１ユニット１００１と通信を行なう。
【００６０】
なお、本体装置１０４は、Ｂｌｕｅｔｏｏｔｈ（登録商標）以外の無線通信により、他の電子機器（たとえば、第１ユニット１００１）と通信を行なってもよい。たとえば、外部通信部２７４は、図示しない赤外線ポートを介して、他の電子機器との間で無線通信を行なってもよい。
【００６１】
信号強度検出部２９７は、アンテナ２９５を介して受信した信号についての強度を検出する。そして、信号強度検出部２９７は、検出した強度を外部通信部２７４に送る。
【００６２】
ＵＳＢコネクタ２９４は、第２ユニット１００２を第１ユニット１００１に接続するために用いられる。
【００６３】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【００６４】
アンテナ２９５は、第２ユニット１００２と、たとえば第１ユニット１００１との間における、Ｂｌｕｅｔｏｏｔｈ（登録商標）の規格に沿った通信に用いられる。
【００６５】
電源検出部２９３は、ＵＳＢコネクタ２９４を介して給電された電力を検出する。また、電源検出部２９３は、当該検出した電力についての情報を、ＣＰＵ２１０に送る。
【００６６】
また、本体装置１０４は、赤外線通信を行なう機能を備えていてもよい。
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００６７】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００６８】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、外部通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００６９】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００７０】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc）／Ｂｌｕ−ｒａｙ（登録商標）ディスク／ＨＤＤＶＤ（登録商標）（High Definition Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００７１】
ここでいうプログラムとは、ＣＰＵにより直接実行可能なプログラムだけでなく、ソースプログラム形式のプログラム、プラットフォームに依存しない中間コード、圧縮処理されたプログラム、暗号化されたプログラム等を含む。
【００７２】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００７３】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００７４】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００７５】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００７６】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００７７】
なお、ここでは、いわゆる線順次方式と呼ばれる駆動方式を用いて説明したが、駆動方式はこれに限定されるものではない。
【００７８】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００７９】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００８０】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００８１】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００８２】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００８３】
光センサ駆動回路１３３は、図２に示すドライバ制御部１８１から制御信号ＴＣ２を受ける。
【００８４】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００８５】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００８６】
なお、電圧ＶＤＤＲを印加するタイミング、および電圧ＶＤＤを印加するタイミングについては、後述する。
【００８７】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００８８】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００８９】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００９０】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００９１】
アンプ１３５は、各センサ信号線（ＳＳ１〜ＳＳｎ）から出力された電圧を増幅する。なお、増幅された電圧は、図２に示した信号処理部１８３に送られる。
【００９２】
なお、画素回路１４１を用いて画像を液晶パネル１４０に表示させるタイミングと、光センサ回路１４４を用いてセンシングするタイミングとについては、画像処理エンジン１８０が制御する。
【００９３】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００９４】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００９５】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００９６】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００９７】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００９８】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００９９】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【０１００】
なお、フォトダイオード１４５の位置は、上記の位置に限定されるものではなく、カラーフィルタ１５３ｒに対向する位置やカラーフィルタ１５３ｇに対向する位置に設けることも可能である。
【０１０１】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【０１０２】
以下では、光センサ回路１４４をリセットするためのリセット期間と、光センサ回路１４４を用いて光をセンシングするためのセンシング期間と、センシングした結果を読み出す読出期間とに分けて説明する。
【０１０３】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【０１０４】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【０１０５】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【０１０６】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【０１０７】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【０１０８】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１０９】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【０１１０】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１１１】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１１２】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１１３】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１１４】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１１５】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１１６】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１１７】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１１８】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１１９】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【０１２０】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１２１】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１２２】
図６は、液晶パネル１４０とバックライト１７９との断面図であって、スキャンの際にフォトダイオード１４５がバックライト１７９からの光を受光する構成を示した図である。
【０１２３】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１２４】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１２５】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１２６】
以上により、表示装置１０２は、指９００によって光が反射されることにより得られる像（以下、反射像とも称する）をスキャンすることができる。
【０１２７】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１２８】
＜データについて＞
次に、第１ユニット１００１と第２ユニット１００２との間でやり取りされるコマンド、および第１ユニット１００１内の本体装置１０１と表示装置１０２との間でやり取りされるコマンドについて説明する。
【０１２９】
図７は、コマンドの概略構成を示した図である。図７を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１３０】
図８は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１３１】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１３２】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、液晶パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１３３】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１３４】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１３５】
なお、上記座標値と上記部分画像または上記全体画像とを同時に要求する構成としてもよい。また、液晶パネル２４０の表面の一部の領域に関してスキャンを行う構成の場合には、上記全体画像はスキャンが行われる領域に対応した画像となる。
【０１３６】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する（図１７）。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り換えて、スキャン対象物のスキャンを行うことを指す。
【０１３７】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０１３８】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０１３９】
また、上記第１コマンドには、図８に示したデータ以外に、スキャンを行う領域（光センサ回路１４４を駆動する画素の領域）の指定、スキャンを行うタイミング、バックライト１７９の点灯のタイミングなどが記述されている。
【０１４０】
なお、画像処理エンジン２８０は、第１コマンドの内容を解析し、当該解析の結果に従ったデータ（つまり、応答データ）を本体装置１０１に送り返す。
【０１４１】
図９は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０１４２】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０１４３】
第１フィールドＤＡ０２に「００１」が設定された第２コマンドは、液晶パネル２４０（サブ画面）に画像を表示させることを画像処理エンジン２８０に対して要求する。また、第１フィールドＤＡ０２に「０１０」が設定された第２コマンドは、液晶パネル２４０にアイコンを表示させることを画像処理エンジン２８０に対して要求する。さらに、第１フィールドＤＡ０２に「０１１」が設定された第２コマンドは、液晶パネル２４０に手書領域を表示させることを画像処理エンジン２８０に対して要求する。
【０１４４】
第２フィールドＤＡ０３には、液晶パネル２４０に表示させる画像の個数、および手書言語の種類を指定する番号が格納される。画像処理エンジン２８０は、当該画像の個数、または言語の種類に応じた処理を行う。
【０１４５】
第３フィールドＤＡ０４に「０１」が設定された第２コマンドは、液晶パネル２４０における表示範囲を座標にて指定することを、画像処理エンジン２８０に対して要求する。また、第３フィールドＤＡ０４に「１０」が設定された第２コマンドは、液晶パネル２４０における表示範囲を表示領域の全体にすることを、画像処理エンジン２８０に対して要求する。
【０１４６】
第４フィールドＤＡ０５には、液晶パネル２４０に表示させる画像データと、当該画像データを表示する位置情報とが格納される。画像処理エンジン２８０は、当該位置情報で特定される位置に当該画像データを表示する処理を行う。
【０１４７】
図１０は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０１４８】
ＣＰＵ１１０，２１０は、ヘッダＤＡ０１に、コマンドの種別（「０１０」）、コマンドの送信先等を書き込む。ＣＰＵ１１０，２１０は、第１フィールドＤＡ０２に、番号が「１」のＯＳ（Operating System）処理要求の値を書き込む。ＣＰＵ１１０，２１０は、第２フィールドＤＡ０３に、番号が「２」のＯＳ情報の値を書き込む。
【０１４９】
第１フィールドＤＡ０２に「０１」または「１０」が設定された第３コマンドは、第２ユニット１００２から第１ユニット１００１に送信される。
【０１５０】
第１フィールドＤＡ０２に「０１」が設定された第３コマンドは、第１ユニット１００１に対して、当該第１ユニット１００１（メイン装置）のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０１５１】
第２フィールドＤＡ０３に「０００」、「００１」、または「０１０」が設定された第３コマンドは、第２ユニット１００２から第１ユニット１００１に送信される。
【０１５２】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０１５３】
図１１は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０１５４】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０１５５】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０１５６】
図１２は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０１５７】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０１５８】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０１５９】
図１３は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０１６０】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０１６１】
第１フィールドＤＡ０２に「００１」が設定された第６コマンドは、相手側の装置に対して赤外線通信を行なうことを要求する。また、第１フィールドＤＡ０２に「０１０」が設定された第６コマンドは、相手側の装置に対してＢｌｕｅｔｏｏｔｈ（登録商標）による無線通信を行なうことを要求する。さらに、第１フィールドＤＡ０２に「０１１」が設定された第６コマンドは、相手側の装置に対してＬＡＮ通信を行なうことを要求する。
【０１６２】
第２フィールドＤＡ０３に「０００」が設定された第６コマンドは、通信の接続先を指定する情報を有していないことを示す。
【０１６３】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０１６４】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０１６５】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０１６６】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０１６７】
第３フィールドＤＡ０４に「０００」が設定された第６コマンドは、データ（たとえば、ファイル）の転送先を指定する情報を有していないことを示す。
【０１６８】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０１６９】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０１７０】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０１７１】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０１７２】
第４フィールドＤＡ０５に「００」、「０１」、「１０」、または「１１」が設定された第６コマンドは、第１ユニット１００１によって、第２ユニット１００２に送信される。
【０１７３】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０１７４】
図１４は、応答データの概略構成を示した図である。応答データは、第１コマンド（センシングコマンド）の内容に応じたデータである。
【０１７５】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０１７６】
図１４を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０１７７】
図１５は、指９００をスキャンすることにより得られた画像（つまり、スキャン画像）を示した図である。図１５を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１７８】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１７９】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１８０】
ただし、必ずしも中心座標の位置は上記に限定されるものではなく、中心座標を上記図心の座標あるいは図心の近傍の座標としてもよい。
【０１８１】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書き込みを行なった後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０１８２】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書き込みを行なった後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０１８３】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１８４】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０１８５】
また、第１コマンドのデータ種別を示すデータ領域に「１００」が設定されている場合には、画像処理エンジン２８０は、図１４に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書き込みを行なった後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０１８６】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０１８７】
＜構成の第１の変形例について＞
ところで、液晶パネル１４０の構成は、図３に示した構成に限定されるものではない。以下では、図３とは異なる態様の液晶パネルについて説明する。
【０１８８】
図１６は、上記異なる態様である光センサ内蔵液晶パネル１４０Ａの回路図である。図１６を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１８９】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１９０】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１９１】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１９２】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１９３】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１９４】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１９５】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１９６】
以上述べたように、電子機器１００が液晶パネル１４０Ａを備えた構成とすることにより、スキャン対象物をカラーでスキャンできることになる。
【０１９７】
次に、図１７を参照して、前述のスキャンの方法（つまり、図６における反射像をスキャンする方法）とは異なるスキャンの方法について説明する。
【０１９８】
図１７は、スキャンの際にフォトダイオードが外光を受光する構成を示した断面図である。同図に示すとおり、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１９９】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０２００】
以上により、表示装置１０２は、指９００によって外光が遮られることにより得られる像（以下、影像とも称する）をスキャンすることができる。
【０２０１】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０２０２】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０２０３】
＜表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０２０４】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０２０５】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０２０６】
＜構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０２０７】
図１８は、電子機器１３００のハードウェア構成を表すブロック図である。電子機器１３００は、電子機器１００と同様、第１の筐体１００Ａと、第２の筐体１００Ｂとを含む。また、図１８を参照して、電子機器１３００は、第１ユニット１００１Ａと、第２ユニット１００２とを含む。第１ユニット１００１Ａは、本体装置１０１と、表示装置１０２Ａとを含む。第２ユニット１００２は、本体装置１０４と、表示装置１０３とを含む。
【０２０８】
表示装置１０２Ａは、光センサを内蔵しない液晶パネル（つまり、表示機能のみを有する液晶パネル）を含む。電子機器１３００は、第１ユニット１００１Ａが光センサを内蔵しない液晶パネルを含む点で、第１ユニット１００１が光センサを内蔵した液晶パネル２４０を含む電子機器１００と異なる。このような電子機器１３００は、第２ユニット１００２の表示装置１０３を用いて上述したセンシングを行なう。
【０２０９】
また、第１ユニット１００１は、光センサを内蔵した液晶パネル１４０の代わりに、たとえば抵抗膜方式や静電容量方式のタッチパネルを備えてもよい。
【０２１０】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０２１１】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０２１２】
本実施の形態に係る電子機器１００は、上記のように構成されているため、第２ユニット１００２が、ＵＳＢコネクタ１９４，２９４を介して第１ユニット１００１に着脱自在になっている。
【０２１３】
そして、本実施の形態に係る電子機器１００は、たとえば電源投入時において、以下のような機能を発揮することができる。まず、ユーザが第１ユニット１００１の電源スイッチ１９１を押下すると、第１ユニット１００１は電源回路１９２からの電力を利用することによってＢＩＯＳ（Basic Input/Output System）を起動させる。
【０２１４】
第２ユニット１００２は、ＵＳＢコネクタ１９４，２９４を介して第１ユニット１００１から電力を取得する。第２ユニット１００２は、当該電力を利用することによって、第１ユニット１００１との間でデータを送受信することができる。このとき、第２ユニット１００２のＣＰＵ２１０は、ＵＳＢコネクタ１９４，２９４からの電力を使用することによって、液晶パネル２４０にＯＳ（Operation System）の種類を選択可能に表示させることができる。
【０２１５】
ユーザは、液晶パネル２４０を介して、起動したいＯＳを選択する。ＣＰＵ２１０は、ユーザの選択に応じ、ＵＳＢコネクタ１９４，２９４を介して第１ユニット１００１へと、起動すべきＯＳを指定するコマンド（たとえば、図１０に示す「第１のＯＳ」コマンド）を送信する。第１ユニット１００１は、当該コマンドに応じて、ＯＳを起動する。
【０２１６】
また、たとえば、第２ユニット１００２は、アンテナ２９５を介して外部の携帯電話などとの間でデータの送受信を行なう。第２ユニット１００２のＣＰＵ２１０は、アンテナ２９５を介して、外部の携帯電話から写真画像データや対応するサムネイルデータを取得して、当該写真画像データや対応するサムネイルデータをＲＡＭ２７１などに格納する。ＣＰＵ２１０は、ＲＡＭ２７１からサムネイルデータを読み出して、液晶パネル２４０に写真のサムネイル画像を選択可能に表示させる。
【０２１７】
そして、外部からの選択命令に応じて、ＣＰＵ２１０は、液晶パネル２４０に写真画像を表示させる。あるいは、ＣＰＵ２１０は、ＵＳＢコネクタ２９４を介して、写真画像を液晶パネル１４０あるいは表示装置１０２Ａに表示させる。
【０２１８】
＜通信システムの概略について＞
図１９は、通信システム１の概略構成を示した図である。図１９を参照して、通信システム１は、電子機器１００と、電子機器２０００と、ＧＰＳ（Global Positioninng System）衛星８０００と、サーバ装置９０００とを含む。電子機器２０００は、携帯型電話機、ＰＤＡ、ノート型のパーソナルコンピュータなどの通信機能と表示機能とを有する携帯型デバイスとして構成される。なお、以下では、電子機器１００がノート型のパーソナルコンピュータであり、かつ電子機器２０００が携帯電話機である場合を例に挙げて説明する。
【０２１９】
電子機器１００および電子機器２０００は、自身に割り当てられたＩＰ（Internet Protocol）アドレスを利用することにより、直接的に相互にネットワークを介してデータ送受信を行う。すなわち、通信システム１に含まれる電子機器１００，２０００は、いわゆるＰ２Ｐ（Pear to Pear）型のネットワークを構成する。
【０２２０】
なお、以下では、電子機器１００と電子機器２０００との間の通信において、相手機器への画像データの送信は、電子機器１００の操作キー１７７や電子機器２０００の操作キー（図２０参照）のうち予め定められたキーの押下により行なわれるものとする。
【０２２１】
ＧＰＳ衛星８０００は、時刻情報や軌道情報等を含む各種信号を地上に送信する。サーバ装置９０００は、地図データを記憶している。サーバ装置９０００は、地図データの送信指示を受付けると、指示を出した電子機器に対して指示に関連した地図データを送信する。なお、電子機器２０００は、測位衛星からの各種信号を受信する構成であればよい。つまり、通信システム１に用いられる測位衛星はＧＰＳ衛星に限定されるものではない。
【０２２２】
＜電子機器２０００の外観＞
図２０は、電子機器２０００の外観を示した図である。図２０を参照して、電子機器２０００は、マイクロフォン２１０５と、操作キー２１０７と、液晶パネル２１０８と、イヤホン２１０９と、カメラ（図示せず）とを含む。
【０２２３】
電子機器２０００は、第１の筐体２０００Ａと第２の筐体２０００Ｂとを含む。第１の筐体２０００Ａと第２の筐体２０００Ｂとは、ヒンジ２０００Ｃにより折畳み可能に接続されている。第１の筐体２０００Ａは、液晶パネル２１０８と、イヤホン２１０９とを備える。第２の筐体２０００Ｂは、操作キー２１０７と、マイクロフォン２１０５と、カメラとを備える。
【０２２４】
なお、電子機器２０００は必ずしも折畳型の機器に限定されるものではない。たとえば、電子機器２０００は、ストレート型の機器でもよい。あるいは、電子機器２０００は、スライド型の機器であってもよい。
【０２２５】
＜電子機器２０００のハードウェア構成について＞
図２１は、電子機器２０００のハードウェア構成を示した図である。図２１を参照して、電子機器２０００は、ＣＰＵ２１００と、ＲＡＭ２１０１と、ＲＯＭ２１０２と、通信部２１０３と、カメラ２１０４と、マイクロフォン２１０５と、スピーカ２１０６と、操作キー２１０７と、液晶パネル２１０８と、イヤホン２１０９とを含む。各構成要素は、相互にデータバスＤＢ３によって接続されている。
【０２２６】
ＣＰＵ２１００は、プログラムを実行する。操作キー２１０７は、電子機器２０００の使用者による指示の入力を受ける。ＲＡＭ２１０１は、ＣＰＵ２１００によるプログラムの実行により生成されたデータ、または操作キー２１０７を介して入力されたデータを揮発的に格納する。ＲＯＭ２１０２は、データを不揮発的に格納する。また、ＲＯＭ２１０２は、ＥＰＲＯＭ（Erasable Programmable Read-Only Memory）やフラッシュメモリなどの書込みおよび消去が可能なＲＯＭである。通信部２１０３は、他の電子機器（図示せず）との間で無線通信を行う。なお、図２１には示していないが、電子機器２０００が、他の電子機器に有線により接続するためのインターフェイス（ＩＦ）を備える構成としてもよい。
【０２２７】
カメラ２１０４は、ユーザの操作キーの操作に応じて、被写体を撮影する。なお、撮影された被写体の画像データは、ＲＡＭ２１０２や外部メモリ（たとえば、メモリカード）に格納される。
【０２２８】
マイクロフォン２１０５は、ユーザの音声の入力を受け付ける。電子機器２０００は、当該入力された音声（アナログデータ）をデジタル化する。そして、電子機器２０００は、通信相手（たとえば、他の携帯電話機）にデジタル化した音声を送る。
【０２２９】
スピーカ２１０６は、たとえば、ＲＡＭ２１０１に記憶された音楽データなどを出力する。イヤホン２１０９は、通信相手から送られてきた音声を出力する。
【０２３０】
液晶パネル２１０８は、ＲＯＭ２１０２やＲＡＭ２１０１に記憶されている画像を表示する。液晶パネル２１０８は、たとえば、カメラ２１０４で撮影した画像を表示する。さらに、液晶パネル２１０８は、電子機器１００から送信された画像を表示する。液晶パネル２１０８に表示される内容については、後述する。
【０２３１】
また、液晶パネル２１０８は、ペンタブレットに液晶ディスプレイを統合させた液晶ペンタブレットである。したがって、電子機器２０００は、液晶パネル２１０８を介して線画像の手書入力データを受け付けることができる。電子機器２０００は、液晶パネル２１０８に手書入力データを表示する。
【０２３２】
なお、電子機器２０００は、液晶パネル２１０８の代わりに、液晶パネル以外の表示パネル（たとえば、有機ＥＬ）とタブレットとが統合された装置を備える構成としてもよい。あるいは、電子機器２０００は、液晶パネル２１０８の代わりに、光センサ液晶パネルを備える構成であってもよい。
【０２３３】
ところで、電子機器２０００における処理は、各ハードウェアおよびＣＰＵ２１００により実行されるソフトウェアによって実現される。このようなソフトウェアは、ＲＯＭ２１０２に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、上記記憶媒体から読み取られて、あるいは、通信部２１０３または通信ＩＦ（図示せず）を介してダウンロードされた後、ＲＯＭ２１０２に一旦格納される。そのソフトウェアは、ＣＰＵ２１００によってＲＯＭ２１０２から読み出され、ＲＡＭ２１０１に実行可能なプログラムの形式で格納される。ＣＰＵ２１００は、そのプログラムを実行する。
【０２３４】
図２１に示される電子機器２０００を構成する各構成要素は、一般的なものである。したがって、本発明の本質的な部分は、ＲＡＭ２１０１、ＲＯＭ２１０２、上記記憶媒体に格納されたソフトウェア、あるいはネットワークを介してダウンロード可能なソフトウェアであるともいえる。なお、電子機器２０００のハードウェアの動作は周知であるので、詳細な説明は繰り返さない。
【０２３５】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc）／Ｂｌｕ−ｒａｙ（登録商標）ディスク／ＨＤＤＶＤ（登録商標）（High Definition Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【０２３６】
ここでいうプログラムとは、ＣＰＵにより直接実行可能なプログラムだけでなく、ソースプログラム形式のプログラム、プラットフォームに依存しない中間コード、圧縮処理されたプログラム、暗号化されたプログラム等を含む。
【０２３７】
＜電子機器１００の機能ブロックについて＞
図２２は、電子機器１００の機能ブロック図である。図２２を参照して、電子機器１００は、制御部１０と、液晶パネル１４０，２４０と、記憶装置９０とを含む。
【０２３８】
記憶装置９０は、電子機器１００に内蔵されている。また、記憶装置９０は、ＶＲＡＭ９１を含む。記憶装置９０は、たとえば、ＲＡＭ１７１，２７１により構成される。なお、記憶装置９０は、電子機器１００に必ずしも内蔵されている必要はない。記憶装置９０は、電子機器１００に外部接続される装置であってもよい。
【０２３９】
制御部１０は、受信部１１と、表示制御部１２と、第１受付部１３と、画像生成部１４と、送信部１５と、第２受付部１６と、取得部１７とを含む。また、画像生成部１４は、比率算出部４１を含む。
【０２４０】
受信部１１は、電子機器２０００から送信された各種データを受信する。
受信部１１は、たとえば、電子機器２０００の現在位置を示した位置情報を電子機器２０００から受信する。また、受信部１１は、電子機器２０００で表示されている上記現在位置を含んだ地図画像（以下、「第２地図画像」と称する）の縮尺を示した縮尺情報を電子機器２０００から受信する。さらに、受信部１１は、電子機器２０００にて上記第２地図画像を表示している表示領域のサイズを示したサイズ情報を電子機器２０００から受信する。
【０２４１】
受信部１１は、位置情報、縮尺情報、およびサイズ情報を受信した場合、これらの情報を表示制御部１２に送る。また、受信部１１は、上記位置情報を取得部１７に送る。さらに、受信部１１は、電子機器２０００から手書入力データを受信する。受信部１１は、手書入力データを受信した場合、当該手書入力データを表示制御部１２に送る。
【０２４２】
取得部１７は、上記位置情報に基づき、電子機器２０００の現在位置を含んだ地図データをサーバ装置９０００から取得する。取得部１７は、取得した地図データを表示制御部１２に送る。
【０２４３】
表示制御部１２は、液晶パネル１４０および液晶パネル２４０の少なくともいずれかに、画像を表示させる。表示制御部１２は、たとえば、位置情報と縮尺情報とサイズ情報とに基づいて、第２地図画像として示された地図領域を含む地図画像（以下、「第１地図画像」と称する）を液晶パネル２４０に表示させる。また、表示制御部１２は、上記位置情報に基づいて、電子機器２０００の現在位置を第１地図画像に表示させる。さらに、表示制御部１２は、位置情報と縮尺情報とサイズ情報とに基づいて、上記第１地図画像として示された地図領域を含む第３地図画像を液晶パネル１４０にさらに表示させる。
【０２４４】
第１受付部１３は、上記第１地図画像が表示された状態で、液晶パネル２４０を介して線画像データ等の手書入力データの入力を受け付ける。第１受付部１３は、当該受け付けた手書入力データを、表示制御部１２と画像生成部１４とに送る。
【０２４５】
表示制御部１２は、第１受付部１３から手書入力データを受け付けた場合、入力を受け付けた液晶パネル２４０に表示されている画像の画像データ（ＶＲＡＭ９１に格納されている画像データ）と、当該手書入力データとを合成して、合成画像データを生成する。表示制御部１２は、当該合成画像データに基づく合成画像を液晶パネル２４０に表示させる。
【０２４６】
なお、以下では、第１地図画像のデータを、「第１地図データ」と称する。また、第２地図画像のデータを、「第２地図データ」と称する。さらに、液晶パネル１４０，２４０，２１０８に表示されている画像を、「表示画像」と称する。また、表示画像のデータを、「表示データ」と称する。
【０２４７】
表示制御部１２は、表示画像をスクロールする指示を操作キー１７７を介して受付けた場合、当該指示に応じたスクロールを行なう。なお、スクロールの方向や量を示すスクロール情報は、送信部１５により電子機器２０００に送信される。
【０２４８】
画像生成部１４は、手書入力データに基づき、電子機器２０００に送信するための画像データを生成する。以下、当該画像データの生成について説明する。
【０２４９】
比率算出部４１は、上記サイズ情報で示される表示領域のサイズに対する、液晶パネル２４０において第１地図画像を表示するために用いた表示領域のサイズの比率を算出する。たとえば、電子機器２０００の液晶パネル２１０８の表示領域のサイズが、横２４０ドット×縦４００ドットとする。また、上記サイズ情報で示される表示領域のサイズが、横２４０ドット×縦３２０ドットとする。一方、液晶パネル２４０において第１地図画像を表示するために用いた表示領域のサイズを、横１８０ドット×縦２４０ドットとする。この場合、比率算出部４１は、横方向の比率をおよび縦方向の比率を、それぞれ３／４と算出する。
【０２５０】
画像生成部１４は、比率算出部４１により求めた横方向の比率および縦方向の比率に基づいて、手書入力データのデータ量を変更する。画像生成部１４は、当該データ量の変更により、画像データを生成する。手書入力データがビットマップ形式などの画像データである場合には、画像生成部１４は、手書入力データのデータ量を変更することにより、画像サイズを変更する。
【０２５１】
たとえば、上記のように横方向の比率および縦方向の比率が３／４の場合、画像生成部１４は、手書入力データの縦方向のデータ量および横方向のデータ量をそれぞれ、４／３倍することにより、画像データを生成する。なお、データ量を大きくする場合には、公知のデータ補間技術を用いる。
【０２５２】
そして、画像生成部１４は、生成した画像データを送信部１５に送る。
送信部１５は、画像生成部１４が生成した画像データを電子機器２０００に送信する。また、上記第１地図画像が表示された状態で、ユーザの操作キー１７７などの操作により、液晶パネル２４０に表示される地図画像の表示対象領域を変更する指示を表示制御部１２が受け付けた場合、送信部１５は、変更後の表示対象領域を特定する領域特定情報を電子機器２０００に送信する。
【０２５３】
第２受付部１６は、操作キー１７７や液晶パネル１４０などの入力装置を介して、上記第３地図画像として示された地図領域における一部領域の指定を受け付ける。第２受付部１６が当該指定を受け付けた場合、表示制御部１２は、上記指定された一部領域を液晶パネル２４０に表示させる。
【０２５４】
＜電子機器２０００の機能ブロックについて＞
図２３は、電子機器２０００の機能ブロック図である。図２３を参照して、電子機器２０００は、制御部２０１０と、液晶パネル２１０８と、記憶装置２０９０とを含む。記憶装置２０９０は、ＶＲＡＭ２０９１を含む。なお、記憶装置２０９０は、ＲＡＭ２１０１により構成される。
【０２５５】
制御部２０１０は、第１取得部２０１１と、第２取得部２０１２と、表示制御部２０１３と、送信部２０１４と、受信部２０１５とを含む。
【０２５６】
第１取得部２０１１は、ＧＰＳ衛星８０００から受信した各種信号に基づき、電子機器２０００の現在位置を示した位置情報を取得する。具体的には、第１取得部２０１１は、複数のＧＰＳ衛星８０００から受信した各種信号に基づき、電子機器２０００の現在位置を算出する。
【０２５７】
第１取得部２０１１は、取得した位置情報を、第２取得部２０１２および送信部２０１４に送る。
【０２５８】
なお、第１取得部２０１１は、ＧＰＳ衛星８０００からの信号に基づき現在位置を取得するかわりに、携帯電話機の基地局から現在位置を取得してもよい。
【０２５９】
第２取得部２０１２は、上記位置情報に基づき、地図データを記憶したサーバ装置９０００から、上記現在位置を含んだ第２地図データを取得する。第２取得部２０１２は、取得した第２地図データを表示制御部２０１３に送る。
【０２６０】
表示制御部２０１３は、液晶パネル２１０８に画像を表示させる。表示制御部２０１３は、第２地図データを第２取得部２０１２から受付けた場合、第２地図データに基づき第２地図画像を液晶パネル２１０８に表示させる。
【０２６１】
また、表示制御部２０１３は、液晶パネル２１０８に表示されている第２地図画像の縮尺を示した縮尺情報を送信部２０１４に送る。さらに、表示制御部２０１３は、第２地図画像を表示している表示領域のサイズ（たとえば、横２４０ドット×縦３２０ドット）を示したサイズ情報を、送信部２０１４に送る。
【０２６２】
送信部２０１４は、位置情報、縮尺情報、およびサイズ情報を互いに関連付けて、電子機器１００に送信する。なお、以下では、位置情報と縮尺情報とサイズ情報とをまとめて、「地図表示情報」と称する。
【０２６３】
受信部２０１５は、電子機器１００の画像生成部１４で生成された画像データを受信する。受信部２０１５は、当該画像データを表示制御部２０１３に送る。表示制御部２０１３は、第２地図画像の画像データと受信した画像データとを合成し、当該合成した画像データに基づく画像を液晶パネル２１０８に表示させる。
【０２６４】
また、受信部２０１５は、電子機器１００から上記スクロール情報を受信する。受信部２０１５がスクロール情報を受信した場合、表示制御部２０１３は、当該スクローク情報に応じて、液晶パネル２１０８に表示する地図画像をスクロールする。なお、スクロールの結果、電子機器２０００がサーバ装置９０００から地図データを新たに取得する必要があると判断した場合、電子機器２０００はサーバ装置９０００から、スクロール方向の地図を示した地図データを取得する。
【０２６５】
なお、以下においては、上記第２地図画像で示される地図領域と、上記第１地図画像で示される地図領域とは同じ領域であるとして説明する。すなわち、以下では、電子機器１００の液晶パネル２４０に表示された地図画像と、電子機器２０００の液晶パネル２１０８に表示された地図画像とが、地図上の同じ領域を示しているとする。
【０２６６】
＜画面遷移について＞
次に、電子機器１００と電子機器２０００との間で通信を行なう際の、電子機器１００の液晶パネル１４０，２４０に表示される内容と、電子機器２０００の液晶パネル２１０８に表示される内容とについて、説明する。
【０２６７】
図２４は、電子機器２０００が上記第２地図画像を液晶パネル２１０８に表示させた場合を示した図である。図２４を参照して、液晶パネル２１０８には、第２地図画像と、ソフトキーの内容を示す情報とが別領域に表示される。なお、第２地図画像中の図形Ｃ１０は、電子機器２０００の現在位置を示している。
【０２６８】
図２５は、電子機器２０００が上記地図表示情報を電子機器１００に送信した後の、電子機器２０００と電子機器１００とに表示される画像を示した図である。図２５を参照して、電子機器１００は、液晶パネル２４０に上記第１地図画像を表示させる。これにより、電子機器１００の液晶パネル２４０と、電子機器２０００の液晶パネル２１０８とには、同じ内容の画像が表示される。
【０２６９】
また、電子機器１００は、液晶パネル１４０に第１地図画像を含んだ第３地図画像を表示させる。
【０２７０】
図２６は、図２５の状態において、電子機器１００のユーザが液晶パネル２４０を介して手書入力を行なった場合における、電子機器１００に表示される画像を示した図である。なお、手書入力として経路を示す図形Ｃ１１が、電子機器１００に入力されたとする。
【０２７１】
図２６を参照して、電子機器１００は、上記入力された図形Ｃ１１を、図形Ｃ１０が重畳された第１地図画像（つまり、表示画像）にさらに重畳して表示する。電子機器１００は、図形Ｃ１１に基づき画像生成部１４にて生成した画像データを電子機器２０００に送る。
【０２７２】
図２７は、図形Ｃ１１に基づき生成された画像データを電子機器２０００が受信し、さらに表示制御部２０１３が上述した合成画像データを生成した場合において、電子機器２０００の液晶パネル２１０８に表示される画像を示した図である。
【０２７３】
図２６および図２７を参照して、電子機器１００の液晶パネル２４０と、電子機器２０００の液晶パネル２１０８とには、同じ内容の画像が表示される。これにより、電子機器１００のユーザと、電子機器２０００のユーザとは、同じ内容の画像を互いの液晶パネルにて確認することができる。
【０２７４】
図２８は、図２６の状態において、電子機器１００のユーザが液晶パネル２４０を介して手書入力をさらに行なった場合における、電子機器１００に表示される画像を示した図である。なお、手書入力として、目標地点を示す図形Ｃ１２および文字Ｃ１３が、電子機器１００に入力されたとする。
【０２７５】
図２８を参照して、電子機器１００は、上記入力された図形Ｃ１２および文字Ｃ１３を、図形Ｃ１０および図形Ｃ１１が重畳された第１地図画像にさらに重畳して表示する。電子機器１００は、図形Ｃ１２および文字Ｃ１３に基づき画像生成部１４にて生成した画像データを電子機器２０００に送る。
【０２７６】
図２９は、図形Ｃ１２および文字Ｃ１３に基づき生成された画像データを電子機器２０００が受信し、さらに表示制御部２０１３が上述した合成画像データを生成した場合において、電子機器２０００の液晶パネル２１０８に表示される画像を示した図である。
【０２７７】
図２８および図２９を参照して、電子機器１００の液晶パネル２４０と、電子機器２０００の液晶パネル２１０８とには、同じ内容の画像が表示される。これにより、電子機器１００のユーザと、電子機器２０００のユーザとは、同じ内容の画像を互いの液晶パネルにて確認することができる。
【０２７８】
＜通信システム１におけるシーケンスについて＞
図３０は、電子機器１００と電子機器２０００とＧＰＳ衛星８０００とサーバ装置９０００との間のシーケンスを示した図である。具体的には、図３０は、図２４から図２９に基づき説明した処理に関するシーケンスを示した図である。
【０２７９】
ステップＳ１において、電子機器２０００はＧＰＳ衛星８０００から、時刻情報、軌道情報などのデータを受信する。ステップＳ２において、電子機器２０００は、取得した位置情報に基づき、サーバ装置９０００に地図データの送信を要求する。ステップＳ３においては、サーバ装置９０００は、上記要求にしたがって、第２地図データを電子機器２０００に送信する。
【０２８０】
ステップＳ４においては、電子機器２０００は、上述した地図表示情報を電子機器１００に送信する。ステップＳ５においては、電子機器１００は、地図表示情報に含まれる位置情報に基づき、サーバ装置９０００に地図データの送信を要求する。ステップＳ６においては、サーバ装置９０００は、上記要求にしたがって、第１地図データを電子機器１００に送信する。
【０２８１】
ステップＳ７においては、電子機器１００は、手書入力データ（図２６の図形Ｃ１１）に基づき生成された画像データを電子機器２０００に送信する。ステップＳ８においては、電子機器１００は、手書入力データ（図２８の図形Ｃ１２および文字Ｃ１３）に基づき生成された画像データを電子機器２０００に送信する。
【０２８２】
以上の処理により、電子機器１００および電子機器２０００は、図２８および図２９に示したとおり、同一内容の画像を互いの液晶パネル２４０，２１０８に表示させることができる。
【０２８３】
＜電子機器１００における処理フローについて＞
図３１は、電子機器１００におけるデータ処理のフローを示したフローチャートである。
【０２８４】
図３１を参照して、ステップＳ１１において、電子機器１００は、電子機器２０００から、第２地図画像に関する地図表示情報を受信する。電子機器１００が地図表示情報を受信すると、電子機器１００は、当該地図表示情報に含まれる位置情報に基づきサーバ装置９０００から第１地図データを受信する。ステップＳ１２において、電子機器１００は、第１地図データに基づき、液晶パネル２４０に第１地図画像を表示させる。ステップＳ１３においては、電子機器１００は、第１地図画像として示された地図領域を含む第３地図画像を液晶パネル１４０に表示させる。
【０２８５】
ステップＳ１４において、電子機器１００は、液晶パネル２４０を介して手書入力データを受付けたか否かを判断する。電子機器１００が手書入力データを受付けたと判断した場合（ステップＳ１４においてＹＥＳ）、ステップＳ１５において、電子機器１００は、液晶パネル２４０に表示されている画像に関する表示データと、当該手書入力データとを合成する。一方、電子機器１００が手書入力データを受付けていないと判断した場合（ステップＳ１４においてＮＯ）、ＣＰＵ１１０は処理をステップＳ１９に進める。
【０２８６】
ステップＳ１６において、電子機器１００は、合成した画像を液晶パネル２４０に表示させる。ステップＳ１７において、電子機器１００は、上記手書入力データに基づき、電子機器２０００に送信する画像データを生成する。ステップＳ１８において、電子機器１００は、生成した画像データを電子機器２０００に送信する。
【０２８７】
ステップＳ１９において、電子機器１００は、電子機器２０００との通信が終了したか否かを判断する。電子機器１００が終了したと判断した場合（ステップＳ１９においてＹＥＳ）、ＣＰＵ１１０は一連の処理を終了する。一方、電子機器１００が終了していないと判断した場合（ステップＳ１９においてＮＯ）、ＣＰＵ１１０は処理をステップＳ１４に戻す。
【０２８８】
＜電子機器２０００における処理フローについて＞
図３２は、電子機器２０００におけるデータ処理のフローを示したフローチャートである。
【０２８９】
図３２を参照して、ステップＳ２１において、電子機器２０００は、ＧＰＳ衛星８０００から受信した各種信号に基づいて、電子機器２０００の位置情報を取得する。ステップＳ２２において、電子機器２０００は、上記位置情報に基づいて、サーバ装置９０００から第２地図データを取得する。ステップＳ２３において、電子機器２０００は、取得した第２地図データに基づいて第２地図画像を液晶パネル２１０８に表示させる。ステップＳ２４において、電子機器２０００は、地図表示情報を電子機器１００に送信する。
【０２９０】
ステップＳ２５において、電子機器２０００は、電子機器１００から画像データを受信したか否かを判断する。電子機器２０００が画像データを受信したと判断した場合（ステップＳ２５においてＹＥＳ）、ステップＳ２６において、電子機器２０００は、液晶パネル２１０８に表示されている画像に関する表示データと、当該受信した画像データとを合成する。一方、電子機器２０００が画像データを受信していないと判断した場合（ステップＳ２６においてＮＯ）、ＣＰＵ２１００は処理をステップＳ２８に進める。
【０２９１】
ステップＳ２７においては、電子機器２０００は、合成した画像を液晶パネル２１０８に表示させる。ステップＳ２８において、電子機器２０００は、電子機器１００との通信が終了したか否かを判断する。電子機器２０００が終了したと判断した場合（ステップＳ２８においてＹＥＳ）、ＣＰＵ２１００は一連の処理を終了する。一方、電子機器２０００が終了していないと判断した場合（ステップＳ２８においてＮＯ）、ＣＰＵ２１００は処理をステップＳ２５に戻す。
【０２９２】
＜まとめ＞
以上のように、電子機器１００は、手書入力データに基づき画像生成部１４で生成した画像データを電子機器２０００に送る。したがって、電子機器２０００において当該画像データを液晶パネル２１０８に重畳して表示させることにより、電子機器１００，２０００は、互いの液晶パネル２４０，２１０８に同じ内容の画像を表示することが可能となる。このため、電子機器１００のユーザと、２０００のユーザとは、同じ情報を共有することができる。その結果、たとえば、電子機器２０００のユーザは、上述した目標地点への経路を知ることができる。
【０２９３】
また、電子機器１００は、位置情報と縮尺情報とサイズ情報とを受信し、これらの情報に基づいて第１地図画像を表示する。したがって、電子機器２０００で表示される地図画像と、電子機器１００で表示させる地図画像とを、概ね一致させることができる。
【０２９４】
また、電子機器１００は、位置情報に基づいて、第１地図画像に電子機器２０００の現在位置を表示する。このため、電子機器１００のユーザは、電子機器２０００の現在位置に即した手書入力が可能となる。
【０２９５】
また、電子機器１００は、比率算出手段４１により算出された比率に基づき、電子機器２０００へ送信する画像を生成し、当該生成した画像を電子機器２０００に送信する。したがって、図２８および図２９に示したとおり、電子機器１００および電子機器２０００は、互いに手書画像を地図画像の同じ地点に重畳させることができる。このため、電子機器１００が、地図画像の道路等に沿った経路を示す図形を手書入力データとして入力する場合であっても、電子機器２０００は、手書画像を当該道路等に沿って重畳させることができる。
【０２９６】
また、電子機器１００が、地図画像の表示対象領域を変更する場合、変更後の表示対象領域を特定する領域特定情報を、電子機器２０００に送信する。したがって、電子機器２０００は、当該領域特定情報に基づき地図画像の表示対象領域を変更することにより、電子機器１００に表示されている内容と同じ内容の画像を液晶パネル２１０８に表示することができる。
【０２９７】
また、第１地図画像で示される地図領域と、第２地図画像で示される地図領域とは、同じ領域であることが好ましい。このように、電子機器１００の液晶パネル２４０と電子機器２０００の液晶パネル２１０８とにおいて同じ領域が表示される構成とすることにより、電子機器１００のユーザと電子機器２０００のユーザとは、同一内容の地図画像を互いに所持する電子機器１００，２０００にて視認することができる。
【０２９８】
また、電子機器１００は、第１地図画像として示された地図領域を含む第３地図画像を、液晶パネル１４０に表示する。したがって、電子機器１００のユーザは、液晶パネル２４０に表示される地図画像の周辺の地図画像についても、液晶パネル１４０にて確認することができる。
【０２９９】
また、第２受付部１６が第３地図画像として表示された地図領域における一部領域の指定を受付けた場合、電子機器１００は、当該指定された領域を液晶パネル２４０に表示する。したがって、電子機器１００のユーザは、液晶パネル１４０に表示された上記周辺の地図画像に基づき、液晶パネル２４０に表示させる地図領域を指定することができる。
【０３００】
電子機器２０００は、上述したように、地図画像の画像データと、電子機器１００から受信した画像データをと合成し、当該合成した画像データに基づく画像を液晶パネル２１０８に表示する。したがって、電子機器１００，２０００は、互いの液晶パネル２４０，２１０８に同じ内容の画像を表示することが可能となる。
【０３０１】
＜補足＞
（１）上記においては、電子機器１００が、電子機器２０００から受信した位置情報に基づき、サーバ装置９０００から地図データを取得する構成について説明した。しかしながら、地図データの取得の方法はこれに限定されるものではない。たとえば、電子機器１００は、サーバ装置９０００から地図データを取得する代わりに、電子機器２０００から地図データを取得してもよい。
【０３０２】
また、電子機器２０００から受信した位置情報に基づき、電子機器１００がサーバ装置９０００から取得した地図データを、電子機器２０００に送信してもよい。この場合、電子機器２０００は、地図データをサーバ装置９０００から取得する必要がなくなる。
（２）地図データを記憶する記憶装置として機能するサーバ装置９０００は、必ずしも必要ではない。たとえば、電子機器１００および電子機器２０００とが、各電子機器１００，２０００に内蔵あるいは外付けされた記憶装置に上記地図データを格納しておく構成であってもよい。
（３）電子機器１００が手書入力データを受付けている際、液晶パネル２４０に表示されている地図画像がスクロールされた場合、表示制御部１２は、手書入力データ手書画像の全体と上記現在位置とが液晶パネル２４０において表示されるように、液晶パネル２４０における表示画像の縮尺を小さくしてもよい。
（４）上記においては、画像生成部１４が手書入力データに基づき生成した画像データを、送信部１５が電子機器２０００に送信する構成を例に挙げて説明した。電子機器１００の構成はこのような構成に限定されず、以下のような構成としてもよい。
【０３０３】
画像生成部１４の代わりに、ストロークデータ生成部を設ける。そして、ストロークデータ生成部は、受け付けた手書入力データに基づきストロークデータを生成する。送信部１５は、当該生成されたストロークデータを電子機器２０００に送信する。このような構成とすることにより、画像データを電子機器２０００に送信する構成に比べ、送信するデータ量を低減することが可能となる。
【０３０４】
なお、ストロークデータ生成部は、比率算出部４１が算出した比率を利用して、手書入力データから上記ストロークデータを生成すればよい。つまり、ストロークデータ生成部は、上記比率を用いて座標変換を行い、ストロークデータを構成する座標値を決定すればよい。
【０３０５】
一方、電子機器２０００は、電子機器１００から上記ストロークデータを受信し、当該受信したストロークデータに基づく画像を表示パネル２１０８に表示すればよい。
【０３０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３０７】
【図１】本実施の形態に係る通信システムに含まれる電子機器の外観を示した図である。
【図２】電子機器のハードウェア構成を表わすブロック図である。
【図３】電子機器の液晶パネルの構成と、当該液晶パネルの周辺回路とを示した図である。
【図４】液晶パネルとバックライトとの断面図である。
【図５】光センサ回路を動作させる際のタイミングチャートを示した図である。
【図６】液晶パネルとバックライトとの断面図であって、スキャンの際にフォトダイオードがバックライトからの光を受光する構成を示した図である。
【図７】コマンドの概略構成を示した図である。
【図８】種別「０００」のコマンドを説明するための図である。
【図９】種別「００１」のコマンドを説明するための図である。
【図１０】種別「０１０」のコマンドを説明するための図である。
【図１１】種別「０１１」のコマンドを説明するための図である。
【図１２】種別「１００」のコマンドを説明するための図である。
【図１３】種別「１０１」のコマンドを説明するための図である。
【図１４】応答データの概略構成を示した図である。
【図１５】指をスキャンすることにより得られた画像を示した図である。
【図１６】他の光センサ内蔵液晶パネルの回路図である。
【図１７】スキャンの際にフォトダイオードが外光を受光する構成を示した断面図である。
【図１８】電子機器の変形例のハードウェア構成を表わすブロック図である。
【図１９】通信システムの概略構成を示した図である。
【図２０】他の電子機器の外観を示した図である。
【図２１】他の電子機器のハードウェア構成を示した図である。
【図２２】電子機器の機能ブロック図である。
【図２３】他の電子機器の機能ブロック図である。
【図２４】他の電子機器が第２地図画像を液晶パネルに表示させた場合を示した図である。
【図２５】他の電子機器が地図表示情報を電子機器に送信した後の、他の電子機器と電子機器とに表示される画像を示した図である。
【図２６】図２５の状態において、電子機器のユーザが液晶パネルを介して手書入力を行なった場合における、電子機器に表示される画像を示した図である。
【図２７】図形に基づき生成された画像データを他の電子機器が受信し、さらに上述した合成画像データを生成した場合において、他の電子機器の液晶パネルに表示される画像を示した図である。
【図２８】図２６の状態において、電子機器のユーザが液晶パネルを介して手書入力をさらに行なった場合における、電子機器に表示される画像を示した図である。
【図２９】図形および文字に基づき生成された画像データを他の電子機器が受信し、さらに上述した合成画像データを生成した場合において、他の電子機器の液晶パネルに表示される画像を示した図である。
【図３０】電子機器と他の電子機器とＧＰＳ衛星とサーバ装置との間のシーケンスを示した図である。
【図３１】電子機器におけるデータ処理のフローを示したフローチャートである。
【図３２】電子機器におけるデータ処理のフローを示したフローチャートである。
【符号の説明】
【０３０８】
１０  制御部、１１  受信部、１２  表示制御部、１３  第１受付部、１４  画像生成部、１５  送信部、１６  第２受付部、１７  取得部、４１  比率算出部、９０  記憶装置、１００  電子機器、１００Ａ  第１の筐体、１００Ｂ  第２の筐体、１０１  本体装置、１０２，１０２Ａ  表示装置、１０３  表示装置、１０４  本体装置、１４０，１４０Ａ  光センサ内蔵液晶パネル、１７４  外部通信部、１７７  操作キー、２４０  光センサ内蔵液晶パネル、２７４  外部通信部、１００１，１００１Ａ  第１ユニット、１００２  第２ユニット、１３００  電子機器、２０００  電子機器、２０１０  制御部、２０１１  第１取得部、２０１２  第２取得部、２０１３  表示制御部、２０１４  送信部、２０１５  受信部、２０９０  記憶装置、２１０３  通信部、２１０７  操作キー、２１０８  液晶パネル。
【図１】
2010108289.tif 000003
【図２】
2010108289.tif 000004
【図３】
2010108289.tif 000005
【図４】
2010108289.tif 000006
【図５】
2010108289.tif 000007
【図６】
2010108289.tif 000008
【図７】
2010108289.tif 000009
【図８】
2010108289.tif 000010
【図９】
2010108289.tif 000011
【図１０】
2010108289.tif 000012
【図１１】
2010108289.tif 000013
【図１２】
2010108289.tif 000014
【図１３】
2010108289.tif 000015
【図１４】
2010108289.tif 000016
【図１５】
2010108289.tif 000017
【図１６】
2010108289.tif 000018
【図１７】
2010108289.tif 000019
【図１８】
2010108289.tif 000020
【図１９】
2010108289.tif 000021
【図２０】
2010108289.tif 000022
【図２１】
2010108289.tif 000023
【図２２】
2010108289.tif 000024
【図２３】
2010108289.tif 000025
【図２４】
2010108289.tif 000026
【図２５】
2010108289.tif 000027
【図２６】
2010108289.tif 000028
【図２７】
2010108289.tif 000029
【図２８】
2010108289.tif 000030
【図２９】
2010108289.tif 000031
【図３０】
2010108289.tif 000032
【図３１】
2010108289.tif 000033
【図３２】
2010108289.tif 000034